(57)【要約】【課題】外部から供給される電力と、内部のバッテリーに充電した電力と、を切り替えて駆動することで小型化や軽量化が可能なプロジェクターを提供する。【解決手段】プロジェクター１００は、ＡＣ電源入力部１３０と、バッテリー部１７５と、ＡＣ電源入力部１３０の電力で駆動する第１の駆動、およびバッテリー部１７５の放電で駆動する第２の駆動の何れかを切り替える電源切り替え部１６４と、光源装置２５５と、制御部１６０と、操作部１２０と、を備え、制御部１６０は、第１の駆動を実行しているときに操作部１２０で所定の指示を受け付けた場合、第１の駆動から第２の駆動への切り替えを指示し、第１の駆動において光源装置２５５が発光する第１の輝度値よりも低い第２の輝度値での発光を光源装置２５５に指示する。【選択図】図１
2015184299.tif 000002
【特許請求の範囲】
【請求項１】
外部から電力が供給される外部電源部と、
前記電力を充放電可能な充電部と
前記外部電源部に供給される前記電力により駆動する第１の駆動、および前記充電部の放電により駆動する第２の駆動の何れかを切り替える切り替え部と、
画像を投写可能に発光する光源部と、
前記切り替え部および前記光源部を制御する制御部と、
指示を受け付ける入力部と、を備え、
前記制御部は、前記第１の駆動を実行しているときに前記入力部が所定の指示を受け付けた場合、前記第１の駆動から前記第２の駆動への切り替えを前記切り替え部に指示し、前記第１の駆動において前記光源部が発光する第１の輝度値よりも低い第２の輝度値での発光を前記光源部に指示することを特徴とするプロジェクター。
【請求項２】
請求項１に記載のプロジェクターにおいて、
前記所定の指示は、前記画像の投写を一時的に休止する休止指示であることを特徴とするプロジェクター。
【請求項３】
請求項１に記載のプロジェクターにおいて、
前記所定の指示は、前記画像を投写する投写光が遮蔽された場合に生成されることを特徴とするプロジェクター。
【請求項４】
請求項１乃至３のいずれかに記載のプロジェクターにおいて、
前記制御部は、前記入力部が前記所定の指示を受け付けた場合、投写するための前記画像の生成を休止させることを特徴とするプロジェクター。
【請求項５】
電力を充放電可能な充電部と、画像を投写可能に発光する光源部と、を備えるプロジェクターの制御方法であって、
外部から供給される前記電力により駆動する第１の駆動工程と、
指示を受け付ける受付工程と、
前記受付工程で受け付けた前記指示が所定の指示であるか、否かを判定する判定工程と、
前記指示が前記所定の指示である場合、前記充電部からの放電により駆動する第２の駆動工程に切り替える切り替え工程と、
前記切り替え工程で前記第２の駆動工程に切り替えた場合、前記第１の駆動工程において発光する前記光源部の第１の輝度値よりも低い第２の輝度値で発光させる発光工程と、を備えることを特徴とするプロジェクターの制御方法。
【請求項６】
外部から電力が供給される外部電源部と、
前記電力を充放電可能な充電部と
前記外部電源部に供給される前記電力により駆動する第１の駆動、および前記充電部の放電により駆動する第２の駆動の何れかを切り替える切り替え部と、
画像を投写可能に発光する光源部と、
前記切り替え部および前記光源部を制御する制御部と、を備え、
前記制御部は、前記第１の駆動を実行しているときに前記外部からの電力供給が休止された場合、前記第１の駆動から前記第２の駆動への切り替えを前記切り替え部に指示し、前記第１の駆動において前記光源部が発光する第１の輝度値よりも低い第２の輝度値での発光を前記光源部に指示することを特徴とするプロジェクター。
【発明の詳細な説明】
【技術分野】
【０００１】
本発明は、プロジェクターおよびプロジェクターの制御方法に関する。
【背景技術】
【０００２】
コンテンツ等の画像を表示する表示装置の一形態として、高輝度なランプを採用した光源から射出された光を、光変調装置で画像信号に応じて変調し、この変調光をスクリーン等に拡大投写して画像を表示するプロジェクターが知られている。
周知のように、プロジェクターのランプは、消灯させた直後に再度点灯させたい場合、ランプ周辺の温度が低下するまで待機する必要がある。従って、プロジェクターを移動して投写する場合、投写中のランプを一度消灯させて移動し、移動先でランプの冷却を待つのは非効率であり、下記特許文献１に示すように、プロジェクターのワゴンに充電および放電可能なバッテリーを搭載し、外部の商用電源から電力が供給されない状態であっても、バッテリーからの放電により駆動を継続するプロジェクターシステムが開示されている。また、下記特許文献２では、バッテリーおよび外部の商用電源の何れでも駆動可能なプロジェクターの光源が開示されている。
【先行技術文献】
【特許文献】
【０００３】
【特許文献１】特開２０１２−９８６４４号公報
【特許文献２】特開２００７−６６８７８号公報
【発明の概要】
【発明が解決しようとする課題】
【０００４】
しかしながら、バッテリーから電力を供給しつつ、ランプが点灯した状態でプロジェクターを移動させる場合、ランプは移動中も画像を投写可能な高輝度で点灯しているため、多くの電力が消費されることから大容量のバッテリーが必要になり、ワゴンやプロジェクター本体が大型化した。
本発明は、上述の課題に鑑みてなされたものであり、外部から供給される電力と、内部のバッテリーに充電した電力と、を切り替えて使用するプロジェクターの小型化や軽量化を図ることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例に係るプロジェクターは、外部から電力が供給される外部電源部と、前記電力を充放電可能な充電部と前記外部電源部に供給される前記電力により駆動する第１の駆動、および前記充電部の放電により駆動する第２の駆動の何れかを切り替える切り替え部と、画像を投写可能に発光する光源部と、前記切り替え部および前記光源部を制御する制御部と、指示を受け付ける入力部と、を備え、前記制御部は、前記第１の駆動を実行しているときに前記入力部が所定の指示を受け付けた場合、前記第１の駆動から前記第２の駆動への切り替えを前記切り替え部に指示し、前記第１の駆動において前記光源部が発光する第１の輝度値よりも低い第２の輝度値での発光を前記光源部に指示することを特徴とする。
【０００７】
このような構成によれば、プロジェクターは、外部電源部に供給される電力により駆動しているときに所定の指示を受け付けた場合、充電部の放電による駆動に切り替え、輝度を下げて光源部を発光させる。従って、プロジェクターが外部電源部から供給される電力に替えて充電部から供給される電力で駆動する場合、消費電力が低減することから、充電部の容量の小型化が可能になるため、プロジェクターの小型化および軽量化を図れる。
【０００８】
［適用例２］
上記適用例に係るプロジェクターにおいて、前記所定の指示は、前記画像の投写を一時的に休止する休止指示であることが好ましい。
【０００９】
このような構成によれば、プロジェクターは、画像の投写を一時的に休止する休止指示を受け付けた場合、充電部から供給される電力による駆動に切り替わり、光源部の輝度が下がるので、消費電力を低減することができる。
【００１０】
［適用例３］
上記適用例に係るプロジェクターにおいて、前記所定の指示は、前記画像を投写する投写光が遮蔽された場合に生成されることが好ましい。
【００１１】
このような構成によれば、画像を投写する投写光を遮蔽することで、プロジェクターは充電部から供給される電力による駆動に切り替わり、消費電力を低減することができる。
【００１２】
［適用例４］
上記適用例に係るプロジェクターにおいて、前記制御部は、前記入力部が前記所定の指示を受け付けた場合、投写するための前記画像の生成を休止させることが好ましい。
【００１３】
このような構成によれば、プロジェクターは、入力部が所定の指示を受け付けた場合、投写するための画像の生成を休止させることで、消費する電力の更なる低減を図れる。
【００１４】
［適用例５］
本適用例に係るプロジェクターの制御方法は、電力を充放電可能な充電部と、画像を投写可能に発光する光源部と、を備えるプロジェクターの制御方法であって、外部から供給される前記電力により駆動する第１の駆動工程と、指示を受け付ける受付工程と、前記受付工程で受け付けた前記指示が所定の指示であるか、否かを判定する判定工程と、前記指示が前記所定の指示である場合、前記充電部からの放電により駆動する第２の駆動工程に切り替える切り替え工程と、前記切り替え工程で前記第２の駆動工程に切り替えた場合、前記第１の駆動工程において発光する前記光源部の第１の輝度値よりも低い第２の輝度値で発光させる発光工程と、を備えることを特徴とする。
【００１５】
このような方法によれば、プロジェクターは、外部電源部に供給される電力により駆動しているときに所定の指示を受け付けた場合、充電部の放電による駆動に切り替え、輝度を下げて光源部を発光させる。従って、プロジェクターが外部電源部から供給される電力に替えて充電部から供給される電力で駆動する場合、消費電力が低減することから、充電部の容量の小型化が可能になるため、プロジェクターの小型化および軽量化を図れる。
【００１６】
［適用例６］
本適用例に係るプロジェクターは、外部から電力が供給される外部電源部と、前記電力を充放電可能な充電部と前記外部電源部に供給される前記電力により駆動する第１の駆動、および前記充電部の放電により駆動する第２の駆動の何れかを切り替える切り替え部と、画像を投写可能に発光する光源部と、前記切り替え部および前記光源部を制御する制御部と、を備え、前記制御部は、前記第１の駆動を実行しているときに前記外部からの電力供給が休止された場合、前記第１の駆動から前記第２の駆動への切り替えを前記切り替え部に指示し、前記第１の駆動において前記光源部が発光する第１の輝度値よりも低い第２の輝度値での発光を前記光源部に指示することを特徴とする。
【００１７】
このような構成によれば、プロジェクターは、外部電源部に供給される電力により駆動しているときに外部からの電力供給が休止された場合、充電部の放電による駆動に切り替え、輝度を下げて光源部を発光させる。従って、プロジェクターが外部電源部から供給される電力に替えて充電部から供給される電力で駆動する場合、消費電力が低減することから、充電部の容量の小型化が可能になるため、プロジェクターの小型化および軽量化を図れる。
【図面の簡単な説明】
【００１８】
【図１】本発明の実施形態に係るプロジェクターの機能構成を示すブロック図。
【図２】バッテリー駆動およびＡＣ駆動における動作モードの違いを説明する図。
【図３】投写ユニットの光学系を模式的に示す図。
【図４】電源切り替え処理の流れを示すフローチャート。
【発明を実施するための形態】
【００１９】
以下、本発明の実施形態について図面を参照して説明する。
【００２０】
（実施形態）
以下、本発明の実施形態に係る画像投写装置として、光源から射出された光を入力された画像信号に応じて変調し、この変調光をスクリーン等の投写面に拡大投写して画像を表示するプロジェクター１００について説明する。
図１は、本実施形態におけるプロジェクター１００の機能構成を示すブロック図である。このプロジェクター１００は、信号入力部１１０、操作部１２０、ＡＣ電源入力部１３０、画像処理部１４０、ＯＳＤ処理部１５０、制御部１６０、電源部１７０、シャッター位置検出部１８０、シャッター部１８５、音声出力部１９０および画像投写部２００を備える。尚、各機能部は、何れも図示を略したＣＰＵ（Central Processing Unit）、ＲＡＭ（Random Access Memory）、ＲＯＭ（Read Only Memory）、フラッシュメモリー等のハードウェアと、ＲＯＭやフラッシュメモリーに記憶されているソフトウェアとが協働することでそれぞれの機能を実現している。
信号入力部１１０は、各種のフォーマット形式のコンテンツの入力信号を受け付ける。尚、コンテンツは、音声を含む動画映像を想定し、所定の接続方式で接続されたコンピューターやＤＶＤ再生装置等から出力される態様や、フラッシュメモリーに記憶されたデータを読み取る態様や、インターネット等のネットワークを介して入力される態様を想定する。
【００２１】
信号入力部１１０は、受け付けた入力信号から画像データと音声データとをそれぞれ抽出し、抽出した画像データを画像処理部１４０に出力し、抽出した音声データを制御部１６０に出力する。
操作部１２０は入力部に相当し、プロジェクター１００の図示しない筐体に備えられた操作キーから構成され、プロジェクター１００に対する各種指示を受け付ける。
画像処理部１４０は、画像データに対して階調補正、色補正および倍率補正等の画像処理を制御部１６０からの指示に基づいて実行し、投写ユニット２５０で投写可能な投写画像を生成する。生成された投写画像はＯＳＤ処理部１５０に送られる。尚、画像処理部１４０が実行する画像処理についての詳細な説明は、例えば、特開２０１０−１８１８０７号公報に公開されている。
ＯＳＤ処理部１５０は、ユーザーの指示に基づき制御部１６０が出力する指示に基づいて、種々のメニュー画面やメッセージ画面等を含むＯＳＤ画像を生成し、画像処理部１４０が生成した投写画像にＯＳＤ画像を合成する。この結果、投写画像はコンテンツの画像にＯＳＤ画像が重畳された態様となる。ＯＳＤ処理部１５０が合成した投写画像は画像投写部２００に出力される。
【００２２】
ＡＣ電源入力部１３０には外部から供給される商用電力が入力される。このＡＣ電源入力部１３０は外部電源部に相当する。電源部１７０は、図示を略した電源回路を備え、ＡＣ電源入力部１３０に入力される交流の商用電力を所定の電圧の直流電力に変換し、各機能部に給電する。ＡＣ電源入力部１３０は外部から商用電力が入力されているか否かの検出状態を制御部１６０に通知する。
また、電源部１７０はバッテリー部１７５を備える。バッテリー部１７５は繰り返し充放電可能な充電式電池（二次電池）を有し、ＡＣ電源入力部１３０に商用電力が入力されている場合に充電を行い、ＡＣ電源入力部１３０への商用電力の供給が停止された場合、制御部１６０からの指示に基づいて放電を行い各機能部に給電する。本実施形態では、バッテリー部１７５は充電部に相当し、プロジェクター１００内部に設置された充電式電池を想定する。バッテリー部１７５の充電式電池は、プロジェクター１００を、移動する間の一時的な時間（例えば１０分くらい）だけバッテリー駆動できる容量があればよい。このため充電式電池は小型および軽量なものを想定する。
シャッター部１８５は、画像投写部２００の投写レンズ２９２近傍に設置され、ユーザーの手指の押圧により一方向に摺動可能な板状部材を有する。この板状部材が一方の位置にある場合、投写レンズ２９２から出射される変調光（投写光）は板状部材により遮蔽される遮蔽状態となる。また、板状部材が他方の位置にある場合、板状部材により遮蔽されない非遮蔽状態であり、投写レンズ２９２から出射される変調光はスクリーンＳＣに投写される。
【００２３】
シャッター位置検出部１８０は、シャッター部１８５の板状部材の摺動位置をセンサー等で検出し、検出した摺動位置に基づいて、画像投写部２００から出射される変調光が遮蔽状態であるか否かの情報を制御部１６０に出力する。
音声出力部１９０はスピーカーを備え、入力される音声信号に基づく音声をスピーカーから出力する。本実施形態では、制御部１６０は、入力信号から抽出される音声データに対して所定の処理を施すことにより音声信号を生成し、生成した音声信号を音声出力部１９０に出力する。
制御部１６０は、電源切り替え判定部１６２、電源切り替え部１６４および動作モード切り替え部１６６を備え、各機能部の動作を制御する。
電源切り替え判定部１６２は、各機能部の設定状態（以降、内部状態と呼ぶ）のうち、所定の内部状態の変化に基づいて、プロジェクター１００を駆動するための電力源を商用電力とする第１の駆動（ＡＣ駆動）か、またはバッテリー部１７５に蓄電されている直流電力とする第２の駆動（バッテリー駆動）か、を判定する。
本実施形態では、電源切り替え判定部１６２は、ＡＶミュート状態、シャッター部１８５の開閉状態およびＡＣ電源入力部１３０への商用電力の入力状態を所定の内部状態として監視し、これらの状態の変化に応じて電力源を判定し、電源回路の切り替えを決定する。尚、ユーザーによるＡＶミュート操作やユーザーによるシャッター部１８５の開閉操作は、所定の指示に相当する。
【００２４】
（ａ）ＡＶミュート状態
ユーザーが操作部１２０を操作して画像の投写および音声の出力の一時停止を指示（休止指示）しＡＶミュート状態に遷移した場合、電源切り替え判定部１６２はバッテリー部１７５からの電力取得を決定する。また、ユーザーが操作部１２０を操作してＡＶミュートの解除を指示した場合、電源切り替え判定部１６２は商用電力からの電力取得を決定する。
（ｂ）シャッター部１８５の開閉状態
ユーザーがシャッター部１８５を非遮蔽状態から遮蔽状態に遷移させた場合、電源切り替え判定部１６２はバッテリー部１７５からの電力取得を決定する。また、ユーザーがシャッター部１８５を遮蔽状態から非遮蔽状態に遷移させた場合、電源切り替え判定部１６２は商用電力からの電力取得を決定する。
（ｃ）ＡＣ電源入力部１３０への商用電力の入力状態
図示を略した電源プラグを外す等の操作をユーザーが行い、商用電力の入力が遮断された場合、電源切り替え判定部１６２はバッテリー部１７５からの電力取得を決定する。また、商用電力の入力が再開された場合、電源切り替え判定部１６２は商用電力からの電力取得を決定する。
尚、電源切り替え判定部１６２は、これらの内部状態（ａ）、（ｂ）、（ｃ）のうち、少なくとも１つの判定結果に基づいて決定しても良い。例えば、ユーザーによりＡＶミュートが操作された場合、電源切り替え判定部１６２はバッテリー部１７５からの電力取得を決定しても良く、また、商用電力の入力が遮断された場合、電源切り替え判定部１６２はバッテリー部１７５からの電力取得を決定しても良い。
【００２５】
また、電源切り替え判定部１６２は、複数の内部状態における判定結果の論理和や論理積に基づいて決定しても良い。例えば、ユーザーによりＡＶミュートが操作され、かつ、商用電力の入力が遮断された場合、電源切り替え判定部１６２はバッテリー部１７５からの電力取得を決定しても良い。
電源切り替え部１６４は切り替え部に相当し、電源切り替え判定部１６２の決定に基づいて電源回路を切り替えることにより、電力源を商用電力およびバッテリー部１７５の何れかに切り替える。また、電源切り替え部１６４は、電力源を商用電力からバッテリー部１７５に切り替える場合、バッテリー部１７５の蓄電量から使用可能時間Ｔ１を算出し、バッテリー部１７５の使用時間が使用可能時間Ｔ１を超えた場合、電力源を商用電力に切り替える機能を備える。また、バッテリー部１７５の使用可能時間Ｔ１が所定の最少時間を越えない場合、商用電力からバッテリー部１７５への電力源の切り替えを行わない態様も想定できる。
動作モード切り替え部１６６は、電力源に応じて動作モードを切り替える。本実施形態では、電力源が商用電力である場合にはＡＣ駆動に対する動作モードが選択され、電力源がバッテリー部１７５である場合にはバッテリー駆動に対する動作モードが選択される。
【００２６】
尚、バッテリー駆動に対する動作モードでは、図２に示すように、投写ユニット２５０において光源部に相当する光源装置２５５が発光する輝度値（第２の輝度値）は、ＡＣ駆動に対する動作モードの時に発行する輝度値（第１の輝度値）よりも低下する。また、投写ユニット２５０における光変調装置２８０は、バッテリー駆動に対する動作モードでは変調処理を停止しても良い。更に、バッテリー駆動に対する動作モードでは、画像処理部１４０による画像処理や、ＯＳＤ処理部１５０による合成処理の少なくとも一部の機能が停止する態様も想定できる。
画像投写部２００は、ランプ駆動部２１０、ライトバルブ駆動部２２０および投写ユニット２５０を備える。
ランプ駆動部２１０は、制御部１６０から出力される駆動指示に基づいて、投写ユニット２５０の光源装置２５５の駆動を制御する。尚、本実施形態では、ランプ駆動部２１０は図示を略したコンデンサーを備える。従って、電力源の切り替え時には、貯電したコンデンサーが放電することにより、光源装置２５５の発光管２５６（図３）が消灯状態に遷移することなく瞬時に切り替わることができる。ランプ駆動部２１０は制御部１６０の指示に基づいて、光源装置２５５の輝度値を第１の輝度値、または第２の輝度値に切り替える。
【００２７】
ライトバルブ駆動部２２０は、ＯＳＤ処理部１５０が出力する投写画像に基づいて、光変調装置２８０を駆動するための駆動信号を生成し、投写ユニット２５０に出力する。
投写ユニット２５０は、ライトバルブ駆動部２２０から出力される駆動信号に基づいて変調光を生成し、生成した変調光をスクリーンＳＣに投写する。
ここで、図３は投写ユニット２５０の光学系を模式的に示す図であり、この図３を参照して光学系の概略構成を説明する。
投写ユニット２５０の光学系の機能は光学系ユニット２５１として構成されている。光学系ユニット２５１は、光学部品用筐体２５２、光源装置２５５、照明光学装置２６０、色分離光学装置２６５、リレー光学装置２７０、光変調装置２８０および投写光学装置２９０を備えている。これらの各装置を構成する光学部品は光学部品用筐体２５２に収納されている。
【００２８】
光源装置２５５は、光束を射出する発光管２５６およびリフレクター２５７を備えている。光源装置２５５は、発光管２５６から射出された光束をリフレクター２５７で反射させて射出方向を揃え、照明光学装置２６０に向けて射出する。尚、照明光軸ＯＣは、光源装置２５５から被照明領域側に射出される光束の中心軸である。また、発光管２５６はハロゲンランプ、キセノンランプおよび超高圧水銀ランプ等の高輝度で発光可能な光源を想定する。
照明光学装置２６０はレンズアレイ２６１，２６２、偏光変換素子２６３、重畳レンズ２６４およびフィールドレンズ２６９を備え、光源装置２５５から射出された光束に対し、照明光軸ＯＣと直交する面内での照度を均一化する機能を有する。
色分離光学装置２６５はダイクロイックミラー２６６，２６７や反射ミラー２６８を備え、照明光学装置２６０から射出された光束を、赤色（Ｒ）光、緑色（Ｇ）光および青色（Ｂ）光の３色の色光に分離して３つの液晶装置２８５Ｒ，２８５Ｇ，２８５Ｂに導光する。
【００２９】
リレー光学装置２７０は入射側レンズ２７２、リレーレンズ２７６および反射ミラー２７４，２７８を備える。このリレー光学装置２７０では、色分離光学装置２６５で分離された色光（本実施形態１ではＢ光）の光路の長さは、他の色光の光路の長さよりも長い。これにより、光の発散などによる光の利用効率の低下を防止し、色光を液晶装置２８５（本実施形態１では液晶装置２８５Ｂ）まで導く。
光変調装置２８０は、３つの入射側偏光板２８４の液晶装置２８５Ｒ，２８５Ｇ，２８５Ｂ、３つの射出側偏光板２８６およびクロスダイクロイックプリズム２８８を備える。液晶装置２８５Ｒ，２８５Ｇ，２８５Ｂは、色分離光学装置２６５で分離された各色光を駆動信号に応じて変調する。クロスダイクロイックプリズム２８８は、液晶装置２８５Ｒ，８５Ｇ，８５Ｂにより変調された各色光を合成し、投写光学装置２９０側に射出する。
投写光学装置２９０は投写レンズ２９２を備える。この投写光学装置２９０は、光変調装置２８０で変調され合成された光束を、投写レンズ２９２で拡大しスクリーンＳＣに投写する。この結果、入力された画像信号に基づいた投写画像がスクリーンＳＣに表示される。
尚、本実施形態では、プロジェクター１００は、離れたスクリーンＳＣに向かって投写する据え置き型の態様を想定したが、これには限定されず、短焦点または超短焦点プロジェクターであってもよいし、インタラクティブ操作が可能なプロジェクターであっても良い。
【００３０】
図４は、制御部１６０が実行する電源切り替え処理の流れを示すフローチャートである。この処理は、プロジェクター１００が駆動している場合に所定の時間間隔で実行されるように設定されている。
この処理が開始されると、制御部１６０は、自身の内部状態を取得し（ステップＳ３００）、所定の内部状態が変化したか否かを判定する（ステップＳ３０２）。
ここで、所定の内部状態が変化していないと判定した場合（ステップＳ３０２でＮｏ）、この処理を終了する。
他方で、所定の内部状態が変化したと判定した場合（ステップＳ３０２でＹｅｓ）、制御部１６０はＡＣ電源で駆動中か、否かを判定する（ステップＳ３０４）。
ここで、ＡＣ電源で駆動中ではないと判定した場合（ステップＳ３０４でＮｏ）、制御部１６０は電力源をＡＣ電源に切り替え（ステップＳ３３０）、続いて、ＡＣ駆動に対する動作モードに切り替え（ステップＳ３３２）、処理を終了する。
他方で、ＡＣ電源で駆動中であると判定した場合（ステップＳ３０４でＹｅｓ）、制御部１６０は、バッテリー部１７５の使用可能時間Ｔ１を算出する（ステップＳ３０６）。
【００３１】
次に、制御部１６０は、電力源をバッテリー部１７５に切り替え（ステップＳ３０８）、続いて、バッテリー駆動に対応する動作モードに切り替え（ステップＳ３１０）、計時を開始する（ステップＳ３１２）。
次に、制御部１６０は、プロジェクター１００の主電源が切られたか否かを判定する（ステップＳ３１４）。なお、主電源が切られた、とは操作部１２０の電源キーにより電源オフ操作が入力されたことを言う。
ここで、プロジェクター１００の主電源が切られたと判定した場合（ステップＳ３１４でＹｅｓ）、制御部１６０はステップＳ３２２に進む。
他方で、プロジェクター１００の主電源が切られていないと判定した場合（ステップＳ３１４でＮｏ）、制御部１６０は自身の内部状態を取得し（ステップＳ３１６）、所定の内部状態が変化したか否かを判定する（ステップＳ３１８）。
ここで、所定の内部状態が変化したと判定した場合（ステップＳ３１８でＹｅｓ）、ステップＳ３０４に戻る。
【００３２】
他方で、所定の内部状態が変化していないと判定した場合（ステップＳ３１８でＮｏ）、制御部１６０は計時を開始してからの時間経過が使用可能時間Ｔ１を超えたか否かを判定する（ステップＳ３２０）。
ここで、計時を開始してからの時間経過が使用可能時間Ｔ１を超えていないと判定した場合（ステップＳ３２０でＮｏ）、ステップＳ３１４に戻る。
他方で、計時を開始してからの時間経過が使用可能時間Ｔ１を超えたと判定した場合（ステップＳ３２０でＹｅｓ）、ステップＳ３２２に進む。
ステップＳ３２２では、制御部１６０は一連の処理を終了するための終了処理を実行し、処理を終了する。
【００３３】
以上述べた実施形態によれば、以下のような効果を奏する。
（１）プロジェクター１００は、ユーザーからの所定の指示に応じた内部状態の変化に基づいて、商用電力およびバッテリー部１７５の何れかを電力源に決定し、決定した電力源からの電力に基づいて駆動するため、プロジェクター１００の内部状態の変化に応じて効率的な電源の選択ができる。
（２）プロジェクター１００への商用電力の供給が停止した場合、バッテリー部１７５は光源装置２５５に対して即座に電力の供給を開始するため、光源装置２５５の発光管２５６は消灯状態に遷移することなく、発光状態を維持できることから、発光管２５６を消灯した場合の再点灯までの待機を回避できる。
（３）プロジェクター１００が電力源を商用電力からバッテリー部１７５に切り替えた場合、光源装置２５５の輝度は商用電力による駆動時に比べて低下し、更に、変調処理等の機能も停止するため、プロジェクター１００本体の発熱量も低下し、プロジェクター１００の把持や移送が容易になる。
以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態により限定されるものではなく、クレームの範囲によってのみ限定される。
【符号の説明】
【００３４】
１００…プロジェクター、１１０…信号入力部、１２０…操作部、１３０…ＡＣ電源入力部、１４０…画像処理部、１５０…ＯＳＤ処理部、１６０…制御部、１６２…電源切り替え判定部、１６４…電源切り替え部、１６６…動作モード切り替え部、１７０…電源部、１７５…バッテリー部、１８０…シャッター位置検出部、１８５…シャッター部、１９０…音声出力部、２００…画像投写部、２１０…ランプ駆動部、２２０…ライトバルブ駆動部、２５０…投写ユニット、２５１…光学系ユニット、２５２…光学部品用筐体、２５５…光源装置、２５６…発光管、２５７…リフレクター、２６０…照明光学装置、２６１，２６２…レンズアレイ、２６３…偏光変換素子、２６４…重畳レンズ、２６５…色分離光学装置、２６６，２６７…ダイクロイックミラー、２６８…反射ミラー、２６９…フィールドレンズ、２７０…リレー光学装置、２７２…入射側レンズ、２７４，２７８…反射ミラー、２７６…リレーレンズ、２８０…光変調装置、２８４…入射側偏光板、２８５…液晶装置、２８５Ｒ…液晶装置、２８５Ｇ…液晶装置、２８５Ｂ…液晶装置、２８６…射出側偏光板、２８８…クロスダイクロイックプリズム、２９０…投写光学装置、２９２…投写レンズ。
【図１】
2015184299.tif 000003
【図２】
2015184299.tif 000004
【図３】
2015184299.tif 000005
【図４】
2015184299.tif 000006